(57)【要約】【課題】  本発明は、ＦＭ文字多重放送により受信した文字情報等のサービス情報をデータベースに利用可能なデータ形態に変換し、予め設定されたキーワード毎に選別して自動保存するデータ受信処理装置を提供することである。【解決手段】  ラジオ受信部１３は、データフォーマットが決められて順次送信されるブロックデータを順次受信し、このブロックデータを受信する毎に、当該ブロックデータを受信リングバッファ１７に順次記憶する。この場合、他のデータ処理中に、このデータ処理の背景処理としてデータ受信を実行し、前記受信リングバッファ１７に一時記憶されたブロックデータの中で特定のブロックデータを所定のデータベースに保存する。【選択図】      図１
2006033893.tif 000002
【特許請求の範囲】
【請求項１】
データフォーマットが決められて順次送信されるブロックデータを順次受信する受信手段と、
このブロックデータを受信する毎に、当該ブロックデータを一時記憶部に順次記憶する受信データ記憶手段と、
他のデータ処理中に、このデータ処理の背景処理として前記受信手段によるデータ受信処理を実行し、前記一時記憶部に記憶されたブロックデータの中で特定のブロックデータを所定のデータベースに保存するデータ処理手段と、
を備えることを特徴とするデータ受信処理装置。
【請求項２】
前記データ処理手段は、前記他のデータ処理の背景処理として実行されるデータ受信処理において受信し、前記一時記憶部に記憶されたブロックデータの前記データベースに対する保存を、該データ処理の一時中断時に実行することを特徴とする請求項１記載のデータ受信処理装置。
【請求項３】
前記データ処理手段は、前記他のデータ処理の一時中断時に、背景処理として前記受信手段により実行されるブロックデータの受信を検出して報知することを特徴とする請求項１記載のデータ受信処理装置。
【発明の詳細な説明】
【技術分野】
【０００１】
本発明は、無線データを受信して処理するデータ受信処理装置に係り、詳細には、送信されてくるデータを受信し、この受信データを所望のデータ形態に変換してデータベースへの保存を可能にするデータ受信処理装置に関する。
【背景技術】
【０００２】
近時、ＦＭ放送電波に文字情報等のサービス情報を多重させて送信し、そのサービス情報を受信側の表示手段に表示させるようにしたＦＭ放送電波を媒体としたサービスが実用化されている。このサービスは、いわゆる移動体ＦＭ文字多重放送と呼ばれ、見えるラジオ（Ｖｉｓｕａｌ Ｉｎｆｏｒｍａｔｉｏｎ Ｒａ−ｄｉｏ）として実用化されている。
【０００３】
具体的には、送信側のＦＭ局から通常のＦＭ放送電波に文字や数字等の表示情報を多重化させた電波を送信し、受信側の液晶ディスプレイ付ＦＭラジオによりその電波を受信して、ＦＭ放送電波と文字や数字等の表示情報を分離し、分離した表示情報を文字コードに変換して液晶ディスプレイに表示することにより利用者の視認に供するようにしたものである。
【発明の開示】
【発明が解決しようとする課題】
【０００４】
しかしながら、このような従来の移動体ＦＭ文字多重放送に適用される受信側の液晶ディスプレイ付ＦＭラジオにあっては、送信側のＦＭ局から通常のＦＭ放送電波に多重化されて送信される表示情報を受信し、ＦＭ放送電波と表示情報を分離して文字コードに変換して液晶ディスプレイに表示するだけであったため、利用者は受信した表示情報を見るだけで、受信した文字情報をデータベースとして再利用するような機能は搭載されていなかった。
【０００５】
また、パーソナルコンピュータ用の拡張ボードとして搭載されるＦＭ文字多重放送に対応するチューナーボードの場合も、同様にＦＭ放送電波と表示情報を分離して文字コードに変換して、パーソナルコンピュータに接続されたディスプレイに表示するだけであるため、やはり受信した文字情報をデータベースとして再利用することはできなかった。さらに、このＦＭ文字多重放送に対応するチューナーボードにおいては、受信した文字情報を保存する場合は、受信したデータ形態のまま全て保存されてしまうため、その保存内容は雑然としたものとなってしまい、データベースとして利用するためには、データ形態の変換作業及びデータの整理作業が必要となり手間がかかる。また、その受信した文字情報を保存するためのメモリ使用容量も無駄になってしまうという問題もあった。
【０００６】
本発明の課題は、無線により受信した文字情報等のサービス情報をデータベースに利用可能なデータ形態に変換して保存するデータ受信処理装置を提供することである。
【課題を解決するための手段】
【０００７】
請求項１記載の発明のデータ受信処理装置は、データフォーマットが決められて順次送信されるブロックデータを順次受信する受信手段と、このブロックデータを受信する毎に、当該ブロックデータを一時記憶部に順次記憶する受信データ記憶手段と、他のデータ処理中に、このデータ処理の背景処理として前記受信手段によるデータ受信処理を実行し、前記一時記憶部に記憶されたブロックデータの中で特定のブロックデータを所定のデータベースに保存するデータ処理手段と、を備えることを特徴としている。
【０００８】
この請求項１記載の発明のデータ受信処理装置によれば、データフォーマットが決められて順次送信されるブロックデータが受信手段により順次受信されると、このブロックデータを受信する毎に、当該ブロックデータが受信データ記憶手段の一時記憶部に順次記憶され、データ処理手段により、他のデータ処理中に、このデータ処理の背景処理として前記受信手段によるデータ受信処理が実行され、前記一時記憶部に記憶されたブロックデータの中で特定のブロックデータが所定のデータベースに保存される。
【０００９】
したがって、データベース処理中であっても、受信手段の受信機能を有効利用することができる。
【００１０】
この場合、請求項２に記載する発明のように、請求項１記載のデータ受信処理装置において、前記データ処理手段は、前記他のデータ処理の背景処理として実行されるデータ受信処理において受信し、前記一時記憶部に記憶されたブロックデータの前記データベースに対する保存を、該データ処理の一時中断時に実行することが有効である。
【００１１】
この請求項２記載の発明によれば、請求項１記載のデータ受信処理装置において、前記データ処理手段では、前記他のデータ処理の背景処理として実行されるデータ受信処理において受信され、前記一時記憶部に記憶されたブロックデータの前記データベースに対する保存が、該データ処理の一時中断時に実行される。
【００１２】
したがって、受信ブロックデータの自動保存処理がデータベース処理と干渉することを回避することができる。
【００１３】
また、請求項３に記載する発明のように、請求項１記載のデータ受信処理装置において、前記データ処理手段は、前記他のデータ処理の一時中断時に、背景処理として前記受信手段により実行されるブロックデータの受信を検出して報知することが有効である。
【００１４】
この請求項３記載の発明によれば、請求項１記載のデータ受信処理装置において、前記データ処理手段では、前記他のデータ処理の一時中断時に、背景処理として前記受信手段により実行されるブロックデータの受信が検出されて報知される。
【００１５】
したがって、データベース処理の背景処理で受信したデータの保存を利用者に通知することができる。
【発明の効果】
【００１６】
請求項１記載の発明のデータ受信処理装置によれば、前記背景処理中に受信されたブロックデータの受信データ記憶手段への記憶は、データベース処理が一時中断している状態で行われるため、受信ブロックデータの自動保存処理がデータベース処理と干渉することを回避することができる。
【００１７】
請求項２及び請求項３記載の発明のデータ受信処理装置によれば、データベース処理が一時中断している状態で、受信されたブロックデータの受信データ記憶手段への保存が行われた場合は、データベース画面に保存したブロックデータが表示されるため、受信ブロックデータの自動保存処理がデータベース処理と干渉することを回避することができ、データベース処理の背景処理で受信したデータの保存を利用者に通知することができる。
【発明を実施するための最良の形態】
【００１８】
以下、図を参照して本発明の実施の形態を詳細に説明する。
【００１９】
図１〜図１５は、本発明のデータ受信処理装置を適用したワードプロセッサーの一実施の形態を示す図である。
【００２０】
まず、構成を説明する。
【００２１】
図１は、本第実施の形態のワードプロセッサー１の制御系要部のブロック構成を示す図であり、ＦＭ文字多重放送に対応するラジオ受信機能及びデータベース処理機能等を有している。
【００２２】
この図１において、ワードプロセッサー１は、ＣＰＵ２、入力部３、表示部４、印刷部５、データベース処理部６、データベースメモリ７、文書処理部８、文書データメモリ９、表処理部１０、表データメモリ１１、アンテナ１２、ラジオ受信部１３、データデコーダ部１４、アンプ１５、スピーカー１６、受信リングバッファ１７、設定メモリ１８、モード設定メモリ１９及びＲＯＭ２０により構成されており、各部はバス２１に接続されている。
【００２３】
ＣＰＵ（Central Processing Unit ）２は、ＲＯＭ２１内に格納されている文書編集処理プログラム及びかな漢字変換処理プログラム等に従ってワードプロセッサー１内の各部を制御し、入力部３、表示部４及び文書処理部８との間で入出力されるキー入力信号、表示データ、文書データの入出力制御処理、入力文字列に対応する辞書データの読み出し処理、読み出された辞書データや編集された文書データの表示部４への表示処理及び入力部３から入力指示される文書データの編集処理の制御を行う。
【００２４】
また、ＣＰＵ２は、ＲＯＭ２１内に格納されているメイン処理プログラムに従って、電源ＯＮ後に表示部４に後述するデスクトップメニュー画面を表示するとともに、ラジオ受信部１３の受信周波数をＦＭ文字多重放送に対応するラジオ局のＦＭ周波数に調整し、受信したＦＭ放送電波から文字情報を分離してデータデコーダ部１４で文字コードに変換された文字データを、前記デスクトップメニュー画面上のラジオアイコンに対応するデータ表示画面に表示するとともに、その受信した文字情報を順次受信リングバッファ１７に書込む。さらに、ＣＰＵ２は、デスクトップ画面上に表示される各種アイコン（ラジオアイコン、データベースアイコン、文書アイコン、設定アイコン等）に対するクリック操作に従って、その各アイコンクリックに対応する各種モード処理（ラジオモード処理、データベースモード処理、文書モード処理、その他処理等）を、ラジオ受信部１３、データベース処理部６及び文書処理部８により実行させる。
【００２５】
入力部３は、カーソルキー、数字入力キー、その他編集キー及び各種機能キー等を備え、押下されたキーの押下信号をＣＰＵ２に出力する。また、この入力部３には、図示しないがマウス等のポインティングデバイスも備えられており、このポインティングデバイスの操作により上記デスクトップ画面上の各種アイコンをクリック操作し、そのクリック信号をＣＰＵ２に出力する。
【００２６】
表示部４は、ＣＲＴ（Cathode Ray Tube）や液晶表示パネルにより構成され、ＣＰＵ２から入力される画像データを表示する。
【００２７】
印刷部５は、上記ＣＰＵ２の文書モード処理で作成される文書データやデータベースモード処理で作成されるデータ等を、所定の記録用紙に印刷出力する。
【００２８】
データベース処理部６は、上記表示部４に表示したデスクトップメニュー画面上でのデータベースアイコンのクリック操作に応じて、後述するデータベースモード処理を実行し、表示部４の表示をデスクトップメニュー画面からデータベース画面に切り換え、上記ラジオ受信部１３で受信されるＦＭ放送電波から分離されて受信リングバッファ１７に記憶される文字情報を、そのデータベース画面上に表示される各種ファンクションキー（最新データチェック、データ編集、検索、抽出、ワープロへ取込み等）の各キー操作に応じた各種データベース処理を実行し、その処理した各種データをデータベースメモリ７に格納する。
【００２９】
データベースメモリ７は、データベース処理部６で処理される各種データを格納するメモリエリアを形成する。
【００３０】
文書処理部８は、上記表示部４に表示したデスクトップメニュー画面上での文書アイコンのクリック操作に応じて、後述する文書モード処理を実行し、表示部４の表示をデスクトップメニュー画面から文書処理画面に切り換え、その文書処理画面上に表示される各種ファンクションキーの各キー操作に応じた文書処理として、文書作成処理や指定されて文書データメモリ９から読み出した文書データの編集処理等を実行するとともに、ファンクションキーが操作されない場合は、上記ラジオ受信部１３で受信されるＦＭ放送電波から分離される文字情報を受信リングバッファ１７に書込む処理を実行する。
【００３１】
文書データメモリ９は、文書処理部８により作成あるいは編集処理された文書データを複数格納するメモリエリアを形成する。
【００３２】
表処理部１０は、上記表示部４に表示したデスクトップメニュー画面上での表アイコンのクリック操作に応じて表処理を実行し、その表処理により編集及び作成される表データを表データメモリ１１に格納する。
【００３３】
表データメモリ１１は、表処理部１０により編集及び作成される表データを複数格納するメモリエリアを形成する。
【００３４】
ラジオ受信部１３は、ＦＭ文字多重放送を行うＦＭ局から送信されるＦＭ放送電波をアンテナ１２により受信し、このＦＭ放送電波からＦＭ信号と文字情報とを分離し、ＦＭ信号は復調してアンプ１５に出力することにより、スピーカー１６から音声あるいは音楽を発音させ、分離した文字情報はデータデコーダ部１４に出力することにより、文字コードに変換させて表示部４への表示及び受信リングバッファ１７への書込みを行わせる。
【００３５】
また、ラジオ受信部１３は、上記表示部４に表示したデスクトップメニュー画面上でのラジオアイコンのクリック操作に応じて、後述するラジオモード処理を実行し、表示部４に表示するラジオモード画面上で、順次受信する受信データを表示する第１の表示領域と、受信リングバッファ１７に一時記憶した複数の受信データを表示する第２の表示領域を表示し、受信リングバッファ１７に一時記憶した複数の受信データから予め設定された取込み条件に基づいて受信データを抽出して、データ形態を変換してデータベースメモリ７に書込む等の処理を実行する。
【００３６】
データデコーダ部１４は、ラジオ受信部１３により分離されて入力される文字情報を文字コードに変換してＣＰＵ２に出力する。
【００３７】
受信リングバッファ１７は、ＲＡＭ（Random Accesss Memory ）により構成されており、そのメモリエリアの最終アドレスにデータを書込んだ後は、再び先頭アドレスのメモリエリアからデータを書込むように使用されるメモリであり、常に最新の受信した文字情報を含む最近の複数ブロック分の文字情報を蓄積する。この受信リングバッファ１４を設けたことにより、ＦＭ放送の受信内容を常に利用者が常に監視しなくても、受信した文字情報が自動的に保存されるため、必要な情報を取りこぼすことが少なくなり、かつ、リングバッファであるため、バッファにフルにデータが蓄積されて最新情報が保持されなくなるという事態を回避することができる。
【００３８】
設定メモリ１８は、取込設定メモリ１８ａ及びアラーム設定メモリ１８ｂにより構成され、取込設定メモリ１８ａは受信した文字情報をデータベースへ取り込むための取込条件を設定して格納するメモリであり、アラーム設定メモリ１８ｂは受信リングバッファ１４に順次記憶される文字情報のうちアラーム表示するためのキーワードを設定して格納するメモリである。
【００３９】
モード設定メモリ１９は、処理モードメモリ１９ａ及びラジオフラグメモリ１９ｂにより構成され、処理モードメモリ１９ａは上記各種モード処理（ラジオモード処理、データベースモード処理、文書モード処理、その他処理等）を実行中に、各処理モードに対応するモードフラグをセットするメモリであり、ラジオフラグメモリ１９ｂはラジオ受信部１３が起動中であるか否かを示すラジオフラグ（ラジオフラグＯＮ：起動中，ラジオフラグＯＦＦ：停止中）をセットするメモリである。
【００４０】
ＲＯＭ（Read Only Memory）２０は、ＣＰＵ２により実行される文書編集処理プログラム、かな漢字変換処理プログラム、メイン処理プログラム、ラジオモード処理プログラム、データベース処理部６により実行されるデータベースモード処理プログラム、文書処理部８により実行される文書処理プログラム、表処理部１０により実行される表処理プログラム等を記憶する。
【００４１】
次に、本実施の形態の動作を説明する。
【００４２】
まず、ワードプロセッサー１の電源ＯＮ後に上記ＣＰＵ２により実行されるメイン処理について図２に示すフローチャートに基づいて説明する。
【００４３】
図２において、まず、ワードプロセッサー１の電源がＯＮされると、表示部４に図３に示すデスクトップメニュー画面を表示し（ステップＳ１）、モード設定メモリ１９内のラジオフラグ１９ｂがＯＮされているか否か、すなわち、ラジオ受信部１３がＯＮされて受信可能状態にあるか否かをチェックする（ステップＳ２）。ラジオフラグ１９ｂがＯＮされていない場合は、ステップＳ８に処理に移行し、ラジオフラグ１９ｂがＯＮされている場合は、ラジオ受信部１３のチューニングをＦＭ文字多重放送を行っているＦＭ局に調整し、そのラジオ受信部１３におけるＦＭ局からのデータ受信の有無をデータデコーダ部１４から出力される文字コードデータの有無により検出する（ステップＳ３）。
【００４４】
そして、データ受信有りを検出した場合は、受信リングバッファ１７内のメモリ使用状態がフル（空きエリア無し）状態であるか否かをチェックする（ステップＳ４）。受信リングバッファ１７内のメモリ使用状態がフルでなく空きエリアが有ると判別した場合は、その受信した文字コードブロックデータを受信リングバッファ１７内の空きエリアに書込み（ステップＳ７）、受信リングバッファ１７内のメモリ使用状態がフルで空きエリアが無いと判別した場合は、受信リングバッファ１７内に格納されている文字コードブロックデータのうち最も古い文字コードブロックデータと置き換えて、受信した文字コードブロックデータを書込む（ステップＳ５）。
【００４５】
受信リングバッファ１７内に着込まれる文字コードブロックデータは、図４に示すように“放送局名”、“周波数”、“日時”、“目次（交通情報、ニュース等）”、“内容（目次に対応する内容）”の各データブロックから構成されている。
【００４６】
次いで、その受信リングバッファ１７に書込んだ文字コードブロックデータを、図３のデスクトップメニュー内に（１）で示す受信ボードに表示し（ステップＳ６）、そのデスクトップメニュー内に表示されている各種アイコンに対するクリック操作の有無をチェックする（ステップＳ８）。
【００４７】
図３に示すデスクトップメニュー内には、上記受信ボード（１）の他に、ラジオアイコン（２）、データベースアイコン（３）、文書アイコン（４）、表アイコン（５）、設定メニューアイコン（６）等が表示されており、これらのアイコンについて入力部３おけるマウス操作によるクリック操作の有無をチェックする。
【００４８】
アイコンに対するクリック操作が無い場合はステップＳ２の処理に戻り、クリック操作が有った場合は、まず、そのクリック操作がラジオアイコン（２）に対するものか否かをチェックする（ステップＳ９）。ラジオアイコン（２）に対するクリック操作である場合は、ラジオモード処理に移行し、処理モードメモリ１９ａにラジオモードをセットし、ラジオアイコン（２）に対するクリック操作でない場合は、データベースアイコン（３）に対するクリック操作であるか否かをチェックする（ステップＳ１０）。データベースアイコン（３）に対するクリック操作である場合は、データベースモード処理に移行し、処理モードメモリ１９ａにデータベースモードをセットし、データベースアイコン（３）に対するクリック操作でない場合は、文書アイコン（４）に対するクリック操作であるか否かをチェックする（ステップＳ１１）。文書アイコン（４）に対するクリック操作である場合は、文書モード処理に移行し、処理モードメモリ１９ａに文書モードをセットし、文書アイコン（４）に対するクリック操作でない場合は、設定メニューアイコン（６）に対するクリック操作であるか否かをチェックする（ステップＳ１２）。設定メニューアイコン（６）に対するクリック操作である場合は、設定メニューに関する他の処理に移行し、処理モードメモリ１９ａに他の処理モードをセットし、設定メニューアイコン（６）に対するクリック操作でない場合は、ラジオフラグ１９ｂをＯＮ／ＯＦＦ設定するキー操作の有無をチェックする（ステップＳ１３、Ｓ１４）。
【００４９】
すなわち、本実施の形態のワードプロセッサー１では、処理モードに関わらずラジオ受信部１３は電源をＯＮ／ＯＦＦすることが可能な構成となっている。
【００５０】
そして、ラジオフラグ１９ｂがＯＮ設定された場合は（ステップＳ１５）、チューニング操作によりＦＭ局が選局された後（ステップＳ１７）、ステップＳ８の処理に戻り、ラジオフラグ１９ｂがＯＦＦに設定された場合は（ステップＳ１６）、ステップＳ８の処理に戻る。
【００５１】
次に、上記ステップＳ９においてラジオアイコン（２）に対するクリック操作が行われた場合のラジオモード処理について図５、図６に示すフローチャートに基づいて説明する。
【００５２】
上記図３のデスクトップメニュー画面においてラジオアイコン（２）がクリック操作されると、図５のラジオモード処理を開始し、デスクトップメニュー画面から図７に示すラジオモード画面に表示部４の表示を切り換える。
【００５３】
この図７に示すラジオモード画面では、受信中の文字情報を表示する第１の表示エリアと、データベース（情報ＢＯＸ）へ取込む文字情報を表示する第２の表示エリアと、ファンクションキー（情報ＢＯＸへ取込み、情報ＢＯＸ（データベース）、データアラーム設定、取込条件設定）と、が表示される。
【００５４】
そして、ラジオ受信部１３におけるＦＭ局からのデータ受信の有無をデータデコーダ部１４から出力される文字コードデータの有無により検出する（ステップＳ１０１）。データ受信有りを検出した場合は、その受信データを図７の第１の表示エリアに表示し（ステップＳ１０２）、受信リングバッファ１７内のメモリ使用状態がフル（空きエリア無し）状態であるか否かをチェックする（ステップＳ１０３）。受信リングバッファ１７内のメモリ使用状態がフルでなく空きエリアが有ると判別した場合は、その受信データの文字コードブロックデータを受信リングバッファ１７内の空きエリアに書込み（ステップＳ１０４）、受信リングバッファ１７内のメモリ使用状態がフルで空きエリアが無いと判別した場合は、受信リングバッファ１７内に格納されている文字コードブロックデータのうち最も古い文字コードブロックデータと置き換えて、受信データの文字コードブロックデータを書込む（ステップＳ１０５）。
【００５５】
次いで、その受信リングバッファ１７に書込んだ文字コードデータをデータベースに取り込むための取込み条件を判定する（ステップＳ１０６）。すなわち、図７のラジオモード画面においてファンクションキーとして設定されている“取込み条件設定”の操作により説定メモリ１８内の取込設定メモリ１８ａに設定される取込み条件の設定内容としては、以下の項目があるものとする。
【００５６】
全データ      ：受信された全データ
目次指定      ：指定された目次のデータ
キーワード指定：指定されたキーワードが「内容」に含まれるデータ
指定データ    ：情報ＢＯＸへ取込みの操作がされたデータのみ
これらの取込み条件の設定内容に基づいてデータベースへ取り込む文字コード内容が判定される。
【００５７】
まず、取込み条件の設定が「指定データ」の場合は、第１の表示エリアに表示中の受信データの中で指定される文字コードデータを情報ＢＯＸ（データベース）に取り込むためにステップＳ１１２に移行し、取込み条件の設定が「キーワード指定」の場合は、受信リングバッファ１７に格納されている受信データの正規化処理を行う（ステップＳ１０７）。この受信データの正規化処理は、受信データの中からキーワードを抽出するために設定された抽出条件に、受信データ中の各文字データを対応させるために文字属性（ひらがな、カタカナ、英数字、大文字、小文字、全角、半角等）の変換を行う処理である。
【００５８】
この受信データの正規化処理について図８に示すフローチャートに基づいて説明する。
【００５９】
図８において、まず、受信リングバッファ１７に書込んだ文字コードデータから先頭１文字分の文字コードを抽出し（ステップＳ４０１）、この文字コードがひらがなかカタカナかを判別する（ステップＳ４０２）。その文字コードがひらがなでもカタカナでもない場合はステップＳ４０５に移行し、その文字コードがひらがなあるいはカタカナである場合は、上記抽出条件において「ひらがなとカタカナを同一視する」と設定されているか否かをチェックする（ステップＳ４０３）。
【００６０】
ここでキーワード抽出条件の具体例を図９の（１）に示す。この図９の（１）に示すように、キーワード抽出条件としては、「◆ひらがな・カタカナ：同一視する／同一視しない，◆大文字・小文字：同一視する／同一視しない，◆全角・半角：同一視する／同一視しない，項目：，抽出文字：」を設定するようになっている。これらのキーワード抽出条件は、利用者が任意に設定可能である。
【００６１】
したがって、このキーワード抽出条件設定において、ひらがな・カタカナを同一視しないと設定されている場合は、ステップＳ４０５に移行し、ひらがな・カタカナを同一視すると設定されている場合は、抽出した文字コードがカタカナである場合はひらがなにコード化して（ステップＳ４０４）、ステップＳ４０５に移行する。
【００６２】
次いで、ステップＳ４０５では抽出した文字コードが英数字の大文字か小文字かを判別する。抽出した文字コードが英数字の大文字でも小文字でもない場合はステップＳ４０８に移行し、抽出した文字コードが英数字の大文字か小文字である場合は、上記抽出条件において「英数字の大文字と小文字を同一視する」と設定されているか否かをチェックする（ステップＳ４０６）。英数字の大文字と小文字を同一視しないと設定されている場合は、ステップＳ４０８に移行し、英数字の大文字と小文字を同一視すると設定されている場合は、抽出した文字コードが英数字の小文字である場合は大文字に変換して（ステップＳ４０７）、ステップＳ４０８に移行する。
【００６３】
次いで、ステップＳ４０８では上記抽出条件において「全角と半角を同一視する」と設定されているか否かをチェックする。全角と半角を同一視しないと設定されている場合は、ステップＳ４１０に移行し、全角と半角を同一視すると設定されている場合は、抽出した文字コードが半角である場合は全角に変換して（ステップＳ４０９）、ステップＳ４１０に移行する。
【００６４】
次いで、ステップＳ４１０では、全文字について正規化が終了したか否かを判別し、終了していない場合はステップＳ４０１に戻って次の１文字分の文字コードを抽出し、上記ステップＳ４０２以降の文字コード正規化処理を繰り返し実行して、受信データの全ての文字コードに対して正規化処理を実行する。
【００６５】
そして、文字コード正規化処理を終了すると、図５のステップＳ１０８に戻り、設定されたキーワードデータの正規化処理を実行する。このキーワード正規化処理は、上記図８の文字コード正規化処理により設定されたキーワードの文字属性を上記抽出条件に従って正規化する。
【００６６】
次いで、ステップＳ１０７で正規化した受信データと、ステップＳ１０８で正規化したキーワードデータとに基づいて、受信データ中にキーワードデータが含まれているか否かを検索する（ステップＳ１０９）。受信データ中にキーワードデータが含まれている場合は、その受信データのデータ形式をデータベースに対応するデータ形式に変換し（ステップＳ１１０）、その変換した受信データをデータベース処理部６によれデータベースメモリ７に書込んで（ステップＳ１１１）、ステップＳ１１２に移行する。
【００６７】
また、ステップＳ１０６の取込み条件の判定に際して、取込み条件設定が「全データ」の場合は、ステップＳ１０５で受信リングバッファ１７に書込んだ受信データのデータ形式をデータベースに対応するデータ形式に変換し（ステップＳ１１０）、その変換した受信データをデータベース処理部６によれデータベースメモリ７に書込んで（ステップＳ１１１）、ステップＳ１１２に移行する。
【００６８】
また、ステップＳ１０６の取込み条件の判定に際して、取込み条件設定が「目次」の場合は、ステップＳ１０５で受信リングバッファ１７に書込んだ受信データの目次項目が、取込み条件設定内で指定された目次項目と同一か否かを判定する（ステップＳ１１６）。目次項目が同一の場合は、ステップＳ１０５で受信リングバッファ１７に書込んだ受信データのデータ形式をデータベースに対応するデータ形式に変換し（ステップＳ１１０）、その変換した受信データをデータベース処理部６によれデータベースメモリ７に書込んで（ステップＳ１１１）、ステップＳ１１２に移行する。また、受信した目次項目が指定目次と同一でない場合はステップＳ１１２に移行する。
【００６９】
以上の取込み条件に基づく受信データのデータベースへの書込みの結果、例えば、図９の（１）及び（２）に示すように、キーワード『Ｉｎｔｅｒｎｅｔ』を含む受信データが抽出されて、データベースメモリ７に自動保存される。
【００７０】
次いで、ステップＳ１１２では、データベースに書込んだ受信データ中に設定アラームキーが含まれているか否かを判別する。すなわち、設定アラームキーとは、データベースへ受信データを取り込んだ後に、その受信データを表示部４に表示中の図７のラジオモード画面にアラーム表示するか否かを判定するために予め利用者により設定されるキーワードのことである。
【００７１】
したがって、データベースに書込んだ受信データ中に設定アラームキーを含む場合は、スピーカー１６によりアラーム音を報知し（ステップＳ１１３）、図７のラジオモード画面内の第２の表示エリアに、その受信データをアラーム表示して（ステップＳ１１４）、ステップＳ１０１に戻る。また、データベースに書込んだ受信データ中に設定アラームキーを含まない場合は、受信リングバッファ１７内の受信データを図７のラジオモード画面内の第２の表示エリアに表示して（ステップＳ１１５）、ステップＳ１０１に戻る。
【００７２】
そして、ステップＳ１０１において、ラジオ受信部１３にデータ受信がない場合は、ステップＳ１１７でラジオモード画面上に表示されるファンクションキー（情報ＢＯＸへ取込み、情報ＢＯＸ（データベース）、データアラーム設定、取込条件設定）のキー操作の有無をチェックする。ファンクションキーに対するキー操作が行われ、そのファンクションキー操作が「情報ＢＯＸへ取込み」である場合は、図６のステップＳ１１８に進み、ステップＳ１１５で受信データを表示した第２表示エリアにおいて「△▽」の上下カーソル操作でスクロールが行われることにより、その第２の表示エリア内で受信リングバッファ１７内に書込まれているその他の所望の受信データをスクロール表示する。
【００７３】
次いで、そのスクロール表示した所望の受信データが選択されることにより、その選択された受信データのデータ形式をデータベースに対応するデータ形式に変換し（ステップＳ１１９）、その変換した受信データをデータベース処理部６によれデータベースメモリ７に書込んで（ステップＳ１２０）、ステップＳ１０１に戻る。
【００７４】
また、ファンクションキー操作が「取込み条件設定」である場合は、図６のステップＳ１２１に進み、上記図９の（１）に示したようなキーワードの抽出条件設定画面において抽出条件の種類を選択し、キーワード選択の有無を検出する（ステップＳ１２２）。キーワードが選択されると、そのキーワードの入力及びキーワード条件の入力を行って（ステップＳ１２３、Ｓ１２４）、ステップＳ１２５に移行する。また、キーワード選択が無い場合は、ステップＳ１２５に移行する。
【００７５】
次いで、ステップＳ１２５で目次選択の有無を検出し、目次選択が有ると、目次に関する一覧表示を行い、目次の入力を促す（ステップＳ１２６）。この目次一覧表示において目次が指定されると（ステップＳ１２７）、以上のステップＳ１２３〜ステップＳ１２７の選択内容で取込み条件を設定して（ステップＳ１２８）、ステップＳ１０１に戻る。
【００７６】
また、ファンクションキー操作が「データアラーム設定」である場合は、図６のステップＳ１２９に進み、データアラーム表示するキーワードの設定を設定メモリ１８内のアラーム設定メモリ１８ｂに行って、ステップＳ１０１に戻る。
【００７７】
このデータアラーム設定及びデータアラーム表示の一例を図１０に示す。図１０（ａ）は、データアラーム設定時の操作内容と設定ウインドウ内容を示しており、ファンクションキーＦ６に設定された「データアラーム設定」が操作された場合のウインドウ表示と、キーワードとして「国連」が入力された場合のウインドウ表紙内容と、を示している。図１０（ｂ）は、キーワード「国連」に基づいて抽出されて第２の表示エリアにアラーム表示された受信データの一例を示している。
【００７８】
また、上記ステップＳ１１７のファンクションキー操作が「情報ＢＯＸ」である場合は、以下に述べるデータベースモード処理へ移行する。
【００７９】
次に、上記図２のステップＳ９においてデータベースアイコン（３）に対するクリック操作が行われた場合、あるいは上記ラジオモード処理のステップＳ１１７のファンクションキー操作においてラジオモードキーが操作された場合に、図１のデータベース処理部６で実行されるデータベースモード処理について図１１、図１２に示すフローチャートに基づいて説明する。
【００８０】
上記図３のデスクトップメニュー画面においてデータベースアイコン（３）がクリック操作、あるいは上記ラジオモード処理のステップＳ１１７のファンクションキー操作においてラジオモードキーが操作されると、図１１のデータベースモード処理を開始し、デスクトップメニュー画面あるいはラジオモード画面から図１３に示すデータベースモード画面に表示部４の表示を切り換える。
【００８１】
この図１３に示すデータベースモード画面では、データベースを表示する表示エリアと、ファンクションキー（ラジオ、備考入力、検索、条件抽出、行指定抽出、ワープロへ取込み、外部記憶、削除、最新データチェック、情報ＢＯＸ終了）と、が表示される。
【００８２】
上記データベース画面への切り換えからデータベースモード処理を開始し、まず、上記ラジオモード処理等でデータベースメモリ７内に格納されたデータベースデータを読み出して、図１３に示すようにデーダース画面内に表示する（ステップＳ２０１）。そして、ラジオ受信部１３におけるＦＭ局からのデータ受信の有無をデータデコーダ部１４から出力される文字コードデータの有無により検出する（ステップＳ２０２）。データ受信有りを検出した場合は、受信リングバッファ１７内のメモリ使用状態がフル（空きエリア無し）状態であるか否かをチェックする（ステップＳ２０３）。受信リングバッファ１７内のメモリ使用状態がフルでなく空きエリアが有ると判別した場合は、その受信した文字コードブロックデータを受信リングバッファ１７内の空きエリアに書込み（ステップＳ２０４）、受信リングバッファ１７内のメモリ使用状態がフルで空きエリアが無いと判別した場合は、受信リングバッファ１７内に格納されている文字コードブロックデータのうち最も古い文字コードブロックデータと置き換えて、受信した文字コードブロックデータを書込む（ステップＳ２０５）。
【００８３】
次いで、その受信リングバッファ１７に書込んだ文字コードデータ中に、上記図１０（ａ）で示したような設定アラームキーを含むか否かを判別する（ステップＳ２０６）。設定アラームキーを含まない場合は、ステップＳ２０２の受信チェック処理に戻り、設定アラームキーを含む場合は、スピーカー１６によりアラーム音を報知し（ステップＳ２０７）、図１３のデータベースモード画面内に、その受信データをアラーム表示して（ステップＳ２０８）、ステップＳ２０２の受信チェック処理に戻る。
【００８４】
また、上記ステップＳ２０２において、ラジオ受信部１３にデータ受信がない場合は、図１２のステップＳ２０９でデータベースモード画面上に表示されるファンクションキー（ラジオ、備考入力、検索、条件抽出、行指定抽出、ワープロへ取込み、外部記憶、削除、最新データチェック、情報ＢＯＸ終了）のキー操作の有無をチェックする。ファンクションキーに対するキー操作が行われ、そのファンクションキー操作が「最新データチェック」である場合は、ステップＳ２１０〜ステップＳ２１４に示す最新データチェック処理を実行する。
【００８５】
この最新データチェック処理は、受信して受信リングバッファ１７に格納された受信データのうち最新の受信データによりデータベース内データの書込みを許可するための処理である。
【００８６】
まず、受信リングバッファ１７に格納されている受信データのうち受信時間が最新のものが有るか否かを判別し（ステップＳ２１０）、最新データが無い場合は、「最新データナシ」をデータベース画面に表示して（ステップＳ２１４）、ステップＳ２０２に戻る。最新データが有る場合は、その最新データを読み出してデータベース画面に表示し（ステップＳ２１１）、その表示した最新データをデータベースに取込むか否かを促すメッセージを画面上に表示し、データ取込みの有無を判別する（ステップＳ２１２）。そして、入力部３におけるキー操作として、例えば「実行」キーが操作された場合は、その最新データをデータベースメモリ７内に書込んで（ステップＳ２１３）、ステップＳ２０２に戻る。また、例えば「スペース」キーが操作された場合は、その最新データをデータベースメモリ７内に書込こまず、最新データチェック処理を終了して、ステップＳ２０２に戻る。
【００８７】
また、ステップＳ２０９のデータベースモード画面上に表示されるファンクションキー操作が「データ編集（備考入力、ワープロへ取込み、外部記憶、削除）、検索、抽出（条件抽出、行指定抽出）」の場合は、その各キー操作に応じた処理を行って（ステップＳ２１５）、ステップＳ２０２に戻る。
【００８８】
また、ステップＳ２０９のデータベースモード画面上に表示されるファンクションキー操作が「ワープロへ取込み」の場合は、ステップＳ２１６〜ステップＳ２２０に示すワープロ取込み処理を実行する。
【００８９】
まず、受信リングバッファ１７に格納されている受信データを読み出してデータベースモード画面上に表示し、入力部３の上下カーソルキー操作によりデータベースモード画面上でスクロールして所望のデータベースデータを表示する（ステップＳ２１６）。次いで、その表示した所望のデータベースデータな中から必要な文字列を、入力部３におけるキー操作により切出し指定し（ステップＳ２１７）、その切り出した文字列を取り込む先の文書データを文書データメモリ９から読み出して、データベースモード画面上に表示する（ステップＳ２１８）。
【００９０】
次いで、その表示した文書データ上で切出し文字列を取り込む位置を指定し（ステップＳ２１９）、その指定位置に切り出した文字列を挿入して（ステップＳ２２０）、ワープロ取込み処理を終了して、ステップＳ２０２に戻る。
【００９１】
上記データベースデータの文書データへの取込みにより、データベースメモリ７に格納されたデータベースデータが、文書データメモリ９に書込まれる状態を図１４に示す。
【００９２】
また、ステップＳ２０９のデータベースモード画面上に表示されるファンクションキー操作が「ラジオ」の場合は、上記図５、図６のラジオモード処理へ移行する。
【００９３】
次に、上記図３のデスクトップメニュー画面において文書アイコン（４）がクリック操作された場合に、図１の文書処理部１０で実行される文書モード処理について図１５に示すフローチャートに基づいて説明する。
【００９４】
上記図３のデスクトップメニュー画面において文書アイコン（４）がクリック操作されると、図１５の文書モード処理を開始し、デスクトップメニュー画面から図示しない文書モード画面に表示部４の表示を切り換える。そして、まず、文書データメモリ９に格納されている文書データを読み出して、その文書モード画面に表示し（ステップＳ３０１）、画面上に表示されるファンクションキーのキー操作の有無をチェックする（ステップＳ３０２）。ファンクションキーに対するキー操作が行われ、そのファンクションキー操作が文書処理に関するものである場合は、そのキー操作に対応する文書処理を行って（ステップＳ３０３）、ステップＳ３０１に戻る。
【００９５】
また、ファンクションキー操作がない場合は、処理モードメモリ１９内のラジオフラグ１９ｂがＯＮされているか否かチェックする（ステップＳ３０４）。ラジオフラグ１９ｂがＯＮされていない場合はステップＳ３０１に戻り、ラジオフラグ１９ｂがＯＮされている場合は、ラジオ受信部１３におけるＦＭ局からのデータ受信の有無をデータデコーダ部１４から出力される文字コードデータの有無により検出する（ステップＳ３０５）。
【００９６】
ラジオ受信部１３にデータ受信がない場合はステップＳ３０１に戻り、データ受信有りを検出した場合は、受信リングバッファ１７内のメモリ使用状態がフル（空きエリア無し）状態であるか否かをチェックする（ステップＳ３０６）。受信リングバッファ１７内のメモリ使用状態がフルでなく空きエリアが有ると判別した場合は、その受信した文字コードブロックデータを受信リングバッファ１７内の空きエリアに書込み（ステップＳ３０７）、受信リングバッファ１７内のメモリ使用状態がフルで空きエリアが無いと判別した場合は、受信リングバッファ１７内に格納されている文字コードブロックデータのうち最も古い文字コードブロックデータと置き換えて、受信した文字コードブロックデータを書込む（ステップＳ３０８）。
【００９７】
次いで、その受信リングバッファ１７に書込んだ文字コードデータ中に、上記図１０（ａ）で示したような設定アラームキーを含むか否かを判別する（ステップＳ３０９）。設定アラームキーを含まない場合は、ステップＳ３０１の処理に戻り、設定アラームキーを含む場合は、スピーカー１６によりアラーム音を報知し（ステップＳ３１０）、文書モード画面内に、その受信データをアラーム表示して（ステップＳ３１１）、ステップＳ３０１の処理に戻る。
【００９８】
以上のように、本実施の形態のワードプロセッサー１では、ラジオモード処理において、ＦＭ文字多重放送を行っているＦＭ局からデータフォーマットが決められた文字コードブロックデータがラジオ受信部１３で受信される毎に、受信リングバッファ１７に順次記憶され、その記憶された複数の文字コードブロックデータから予め設定された取込み条件（全データ、目次指定、キーワード指定、指定データ）と一致するブロックデータが抽出され、この抽出されたブロックデータがデータベースに対応するデータ形態に変換されて、データベースメモリ７に書込まれる。
【００９９】
このため、ＦＭ文字多重放送により受信した文字情報の中から、利用者が必要とする文字情報が自動的にデータ形態が変換されてデータベースに書込まれるため、利用者がデータ変換やデータ整理等の操作をすることなく、受信した文字情報（文字コードブロックデータ）をデータベースデータとして活用することを容易にできる。
【０１００】
また、上記実施の形態の受信リングバッファ１７では、受信する文字コードブロック単位で記憶するメモリエリアがフルになった場合に、記憶時期が最も古いデータと新たに受信した文字コードブロックとを置き換えて記憶するようになっていたため、最新の文字情報がメモリフルで記憶できずに破棄されてしまうという事態を回避することができ、利用者が最新情報を見逃すことを回避することができる。
【０１０１】
また、予め設定された取込み条件（全データ、目次指定、キーワード指定、指定データ）は、設定メモリ１９内の取込み設定メモリ１９ａに利用者が任意に設定できるため、データベースメモリ７に自動保存する受信文字コードブロックデータを抽出する抽出条件を任意に設定することができる。
【０１０２】
また、上記取込み条件設定中には、任意のキーワードを設定可能としたため、データベースメモリ７に自動保存する受信文字コードブロックデータを抽出する抽出条件として任意のキーワードを設定することができ、そのキーワードを含む受信文字コードブロックデータを抽出してデータ変換してデータベースメモリ７に自動保存することができる。
【０１０３】
また、上記データベースメモリ７に受信文字コードブロックデータを保存する際に、受信リングバッファ１７に一時記憶された受信文字コードブロックデータから利用者が任意に選択した文字コードブロックデータをデータ変換して保存可能としたため、一時記憶された受信文字コードブロックデータの内容を確認してからデータベースメモリ７に保存することもできる。
【０１０４】
また、上記実施の形態のデータベースモード処理では、データベースメモリ７に保存した複数の文字データから所望の文字データを選択して切り出し、文書データメモリ９内に格納されている複数の文書データから所望の文書データを指定して挿入位置を指定し、切り出した文字データを挿入可能としたため、データベースメモリ７に保存した受信文字テータを、データベース以外の文書中に利用することを容易にできる。
【０１０５】
また、上記実施の形態のラジオモード処理では、表示部４の表示がデスクトップメニュー画面からラジオモード画面に切り替えられ、このラジオモード画面上では、受信毎の文字コードブロックデータを順次表示する第１の表示領域と、受信リングバッファ１７に順次一時記憶した文字コードブロックデータを順次表示する第２の表示領域と、を設定したため、利用者は受信中の文字データと自動保存された文字データを区別することができる。
【０１０６】
また、この第２の表示領域に表示する文字データから任意の文字データが選択されると、この選択された文字データのデータ形態が変換されてデータベースメモリ７に保存されるため、利用者は一時保存された文字データの内容を確認してデータベースメモリ７に保存して利用することができる。
【０１０７】
また、上記実施の形態のデータベースモード処理では、表示部４の表示がデスクトップメニュー画面からデータベースモード画面に切り替えられ、ラジオ受信部１３で文字コードブロックデータが受信される毎に、受信リングバッファ１７に順次一時記憶され、データベースモード画面上に予め設定されたファンクションキー（最新データチェック、データ編集、検索、抽出）の操作内容に応じて、受信リングバッファ１７に一時記憶された複数の文字コードブロックデータが抽出されデータベース処理されてデータベースメモリ７に保存されるとともに、このファンクションキーによるデータベース処理中は、受信リングバッファ１７に一時記憶された複数の文字コードブロックデータのデータベースメモリ７へのデータ書込みが禁止されるため、処理中のデータベースに受信された文字データが勝手に書込まれてデータベースの内容が書き換えられることを防止することができる。
【０１０８】
また、上記実施の形態のデータベースモード処理では、表示部４の表示をデスクトップメニュー画面からデータベースモード画面に切り替え、このデータベースモード画面では、予め設定されたファンクションキーとして最新データチェックキーが操作された場合に、受信リングバッファ１７に一時記憶された最新の文字コードブロックデータがデータ変換されてデータベースメモリ７に保存されるため、上記データベース使用中の受信データの書込み禁止に対して、最新データのデータベースへの書込みを許可することができる。
【０１０９】
また、上記実施の形態のラジオモード処理では、取込み条件としてキーワード文字列が設定されている場合に、このキーワード文字列と同一の文字列を含む受信文字コードブロックデータ、あるいはキーワード文字列と同一であるが表現形態（文字属性）が異なる文字列を含む受信文字コードブロックデータが抽出されて、データ変換されてデータベースメモリ７に保存されるため、受信文字データに含まれるキーワード文字列の表現形態が異なる場合も同一視してデータベースに保存することができ、キーワードによる受信文字データの抽出及びデータベースへの自動保存を確実なものとすることができる。
【０１１０】
また、このキーワード文字列を設定する際には、そのキーワード文字列の表現形態として文字種（ひらがな・カタカナ、大文字・小文字、全角・半角）を任意に設定可能とするとともに、これら文字種の同一視の有無を任意に設定可能としたため、キーワード文字列の内容を表現形態も含めて詳細に設定することができ、キーワード文字列により抽出する受信文字コードブロックデータの内容を細かく識別することができる。
【０１１１】
また、上記実施の形態のワードプロセッサー１では、受信文字コードブロックデータの中からアラーム表示するアラームキーワードをアラーム設定メモリ１８ｂに設定可能とし、上記ラジオモード処理及びデータベースモード処理では、このアラーム設定メモリ１８ｂに設定されたアラームキーワードが受信文字コードブロックデータに含まれている場合は、アラーム音が報知されるとともに、それぞれのラジオモード画面中及びデータベースモード画面中に、そのアラームキーを含む受信文字データが表示されるため、利用者が必要な受信文字データを確実に報知することができ、重要なデータを見過ごしてしまうという事態を防止することができる。
【０１１２】
また、上記実施の形態のワードプロセッサー１では、ラジオ受信部１３のＯＮ／ＯＦＦをラジオフラグ１９ｂの設定により可能とし、ラジオモード以外のデータベースモード処理中あるいは文書モード処理中の背景処理としてラジオ受信部１３の受信処理を可能とし、その背景処理で受信された文字コードブロックデータが受信リングバッファ１７に順次一時記憶されるため、データベースモード処理中あるいは文書モード処理中であっても、ラジオ受信部１３のＦＭ文字多重受信機能を有効利用することができる。
【０１１３】
また、この背景処理中に受信された文字コードブロックデータの受信リングバッファ１７への記憶は、データベース処理あるいは文書処理が一時中断している状態で行われるため、文字コードブロックデータの保存処理がデータベース処理あるいは文書処理と干渉することを回避することができる。
【０１１４】
また、データベース処理あるいは文書処理が一時中断している状態で、受信された文字コードブロックデータの受信リングバッファ１への保存が行われた場合は、データベースモード画面あるいは文書モード画面に保存した文字データが表示されるため、背景処理で受信した文字データの保存を利用者に通知することができる。
【０１１５】
また、上記実施の形態のワードプロセッサー１では、電源ＯＮ時に、ラジオ受信部１３が起動されてＦＭ文字多重放送を行っているＦＭ局にチューニングされるとともに、デスクトップメニュー画面が表示され、このデスクトップ画面上に上記受信ボード（１）、ラジオアイコン（２）、データベースアイコン（３）、文書アイコン（４）、表アイコン（５）、設定メニューアイコン（６）等の選択アイコンが表示され、このデスクトップメニュー画面の表示処理の背景処理としてラジオ受信部１３の受信処理が実行され、上記受信ボード（１）上にラジオ受信部１３で順次受信される文字コードブロックデータが順次表示されるため、デスクトップメニュー画面の表示モードであってもラジオ受信部１３のＦＭ文字多重受信機能を有効利用することができる。
【０１１６】
なお、上記実施の形態では、本発明のデータ受信処理装置をワードプロセッサー１に搭載した場合を説明したが、このワードプロセッサー１に限らず、パーソナルコンピュータにＰＣカードスロットにＦＭ文字多重ラジオカードが搭載される場合にも、パーソナルコンピュータに搭載されるデータベースソフトやワープロソフトに対して受信した文字コードブロックデータをデータ変換して利用することが可能である。
【図面の簡単な説明】
【０１１７】
【図１】本発明のデータ受信処理装置を適用した一実施の形態のワードプロセッサーの要部ブロック構成を示す図。
【図２】図１のＣＰＵにより実行されるメイン処理のフローチャート。
【図３】図２のメイン処理において図１の表示部に表示されるデスクトップメニューを示す図。
【図４】図１の受信リングバッファに書込まれる文字コードブロックデータのデータ構成を示す図。
【図５】図１のＣＰＵにより実行されるラジオモード処理のフローチャート。
【図６】図６のラジオモード処理に続くフローチャート。
【図７】図５のラジオモード処理において図１の表示部に表示されるラジオモード画面を示す図。
【図８】図１のＣＰＵにより実行される文字コード正規化処理のフローチャート。
【図９】図８の文字コード正規化処理で参照されるキーワード抽出条件の設定内容と、キーワードにより抽出されたデータ内容の一例を示す図。
【図１０】図６のラジオモード処理中のデータアラーム設定の際に表示される設定内容とデータアラーム表示の一例を示す図。
【図１１】図１のデータベース処理部により実行されるデータベースモード処理のフローチャート。
【図１２】図１１のデータベースモード処理に続くフローチャート。
【図１３】図１１のデータベースモード処理に図１の表示部に表示されるデータベースモード画面を示す図。
【図１４】図１２のデータベースモード処理においてデータベースデータを文書データへ取り込む状態を示す図。
【図１５】図１の文書処理部により実行される文書モード処理のフローチャート。
【符号の説明】
【０１１８】
１  ワードプロセッサー
２  ＣＰＵ
３  入力部
４  表示部
５  印刷部
６  データベース処理部
７  データベースメモリ
８  文書処理部
９  文書データメモリ
１０  表処理部
１１  表データメモリ
１２  アンテナ
１３  ラジオ受信部
１４  データデコーダ部
１５  アンプ
１６  スピーカー
１７  受信リングバッファ
１８  設定メモリ
１９  モード設定メモリ
２０  ＲＯＭ
２１  バス
【図１】
2006033893.tif 000003
【図２】
2006033893.tif 000004
【図３】
2006033893.tif 000005
【図４】
2006033893.tif 000006
【図５】
2006033893.tif 000007
【図６】
2006033893.tif 000008
【図７】
2006033893.tif 000009
【図８】
2006033893.tif 000010
【図９】
2006033893.tif 000011
【図１０】
2006033893.tif 000012
【図１１】
2006033893.tif 000013
【図１２】
2006033893.tif 000014
【図１３】
2006033893.tif 000015
【図１４】
2006033893.tif 000016
【図１５】
2006033893.tif 000017
【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
データフォーマットが決められて順次送信されるブロックデータを順次受信する受信手段と、
このブロックデータを受信する毎に、当該ブロックデータを一時記憶部に順次記憶する受信データ記憶手段と、
ブロックデータを順次受信する受信処理以外の他のデータ処理中において、前記受信手段によるデータ受信を可能とした背景処理を実行する実行手段と、
前記一時記憶部に記憶されたブロックデータの中で特定のブロックデータを所定のデータベースに保存するデータ処理手段と、
を備えることを特徴とするデータ受信処理装置。
【請求項２】
前記データ処理手段は、前記他のデータ処理の背景処理として実行されるデータ受信処理において受信し、前記一時記憶部に記憶されたブロックデータの前記データベースに対する保存を、該データ処理の一時中断時に実行することを特徴とする請求項１記載のデータ受信処理装置。
【請求項３】
前記データ処理手段は、前記他のデータ処理の一時中断時に、背景処理として前記受信手段により実行されるブロックデータの受信を検出して報知することを特徴とする請求項１記載のデータ受信処理装置。
【手続補正２】
【補正対象書類名】明細書
【補正対象項目名】０００７
【補正方法】変更
【補正の内容】
【０００７】
請求項１記載の発明のデータ受信処理装置は、データフォーマットが決められて順次送信されるブロックデータを順次受信する受信手段と、このブロックデータを受信する毎に、当該ブロックデータを一時記憶部に順次記憶する受信データ記憶手段と、ブロックデータを順次受信する受信処理以外の他のデータ処理中において、前記受信手段によるデータ受信を可能とした背景処理を実行する実行手段と、前記一時記憶部に記憶されたブロックデータの中で特定のブロックデータを所定のデータベースに保存するデータ処理手段とを備えることを特徴としている。
【手続補正３】
【補正対象書類名】明細書
【補正対象項目名】０００８
【補正方法】変更
【補正の内容】
【０００８】
この請求項１記載の発明のデータ受信処理装置によれば、データフォーマットが決められて順次送信されるブロックデータが受信手段により順次受信されると、当該ブロックデータが受信データ記憶手段の一時記憶部に順次記憶され、前記ブロックデータを受信手段で受信する毎に、当該ブロックデータを順次受信する受信処理以外の他のデータ処理中において、前記受信手段によるデータ受信を可能とした背景処理が実行手段で実行されて、一時記憶部に記憶されたブロックデータの中で特定のブロックデータが所定のデータベースにデータ処理手段によって保存される。
【手続補正４】
【補正対象書類名】明細書
【補正対象項目名】００１６
【補正方法】変更
【補正の内容】
【００１６】
請求項１記載の発明のデータ受信処理装置によれば、ブロックデータを順次受信する受信処理以外の他のデータ処理中において、前記受信手段によるデータ受信を可能とした背景処理中に受信されたブロックデータの記憶はデータベース処理が一時中断している状態で行われるため、受信ブロックデータの自動保存処理がデータベース処理と干渉することを回避することができる。